(57)【特許請求の範囲】
【請求項１】
構成済照明システムのための照明システム装置であって、当該照明システム装置は、前記構成済照明システムにおける少なくとも１つの他の照明システム装置と、当該照明システム装置及び前記少なくとも１つの他の照明システム装置に関連する構成データに基づいて直接結合され、当該照明システム装置は、
当該照明システム装置及び前記少なくとも１つの他の照明システム装置に関連する前記構成データを、リセットを実行する際に削除されないように記憶し、
リセット入力を受信し、
前記リセット入力を、前記構成済照明システムのパッケージ内の全ての結合された照明システム装置に縦続供給し、
当該照明システム装置をリセットし、
中央制御ユニットを検出すると共に当該照明システム装置を該中央制御ユニット上に登録し、該中央制御ユニットが前記構成データにアクセスして構成済照明システムの機能を回復するようにする、
照明システム装置。
【請求項２】
前記構成データを記憶する前記照明システム装置が該構成データを外部サーバに記憶する、請求項１に記載の照明システム装置。
【請求項３】
前記照明システム装置が前記構成データをユーザ装置に通知し、該ユーザ装置が該構成データを前記外部サーバに通知する、請求項２に記載の照明システム装置。
【請求項４】
前記構成データを記憶する前記照明システム装置が、該構成データをメモリにおける当該照明システム装置がリセットされる際に削除されることからマスクされる部分に記憶する、請求項１に記載の照明システム装置。
【請求項５】
前記中央制御ユニットから前記構成データのリクエストを受信し、
前記リクエストに対して記憶された前記構成データを含む応答を発生し、
前記応答を前記中央制御ユニットに送信して、該中央制御ユニットが前記構成データにアクセスするようにする、請求項４に記載の照明システム装置。
【請求項６】
前記リセット入力が、物理的入力及び／又は受信されるリセットコマンドメッセージである、請求項１ないし５の何れか一項に記載の照明システム装置。
【請求項７】
前記リセット入力を前記構成済照明システムのパッケージ内の全ての結合された照明システム装置に縦続供給する当該照明システム装置が、
全ての直接結合された照明システム装置を検出し、
リセットコマンドメッセージを発生し、
前記リセット入力を縦続供給するために、該リセットコマンドメッセージを前記直接結合された照明システム装置の各々に送信する、請求項１ないし６の何れか一項に記載の照明システム装置。
【請求項８】
当該照明システム装置が、最初のリセット入力を受信した後、定められた期間にわたり如何なる更に受信されるリセット入力もマスクする、請求項１ないし７の何れか一項に記載の照明システム装置。
【請求項９】
構成済照明システムの照明システム装置を構成させるための中央制御ユニットであって、
リセットされた照明システム装置を当該中央制御ユニットに登録し、
前記照明システム装置及び少なくとも１つの他の照明システム装置に関連する構成データをリクエストし、
前記構成データを受信し、
前記照明システム装置と少なくとも１つの他の照明システム装置との間の論理リンクを発生して、前記照明システム装置と少なくとも１つの他の照明システム装置との間の構成済照明システムの機能を回復させる、
中央制御ユニット。
【請求項１０】
前記照明システム装置及び少なくとも１つの他の照明システム装置に関連する構成データをリクエストする当該中央制御ユニットが、更に、前記照明システム装置に関連する構成データのリクエストを発生して外部サーバに送信すると共に、該構成データを該リクエストに対する前記外部サーバからの応答内で受信する、請求項９に記載の中央制御ユニット。
【請求項１１】
少なくとも２つの請求項１ないし８の何れか一項に記載の照明システム装置と、
請求項９又は請求項１０に記載の中央制御ユニットと、
を有する、ネットワーク化照明システム。
【請求項１２】
構成済照明システムの一部として動作する照明システム装置を構成する方法であって、前記照明システム装置は、前記構成済照明システムにおける少なくとも１つの他の照明システム装置と、前記照明システム装置及び前記少なくとも１つの他の照明システム装置に関連する構成データに基づいて直接結合され、当該方法は、
前記照明システム装置及び前記少なくとも１つの他の照明システム装置に関連する前記構成データを、リセットを実行する際に削除されないように記憶するステップと、
リセット入力を受信するステップと、
前記リセット入力を、前記構成済照明システムのパッケージ内の全ての結合された照明システム装置に縦続供給するステップと、
前記照明システム装置をリセットするステップと、
中央制御ユニットを検出すると共に前記照明システム装置を該中央制御ユニット上に登録し、該中央制御ユニットが前記構成データにアクセスして構成済照明システムの機能を回復するようにするステップと、
を有する、方法。
【請求項１３】
前記構成データを記憶するステップが該構成データを外部サーバに記憶するステップを有する、請求項１２に記載の方法。
【請求項１４】
前記構成データを記憶するステップが、該構成データをメモリにおける前記照明システム装置がリセットされる際に削除されることからマスクされた部分に記憶するステップを有する、請求項１２に記載の方法。
【請求項１５】
構成済照明システムのための照明システム装置を制御するコンピュータプログラムであって、前記照明システム装置は、前記構成済照明システムにおける少なくとも１つの他の照明システム装置と、当該照明システム装置及び前記少なくとも１つの他の照明システム装置に関連する構成データに基づいて直接結合され、当該コンピュータプログラムは、１以上のコンピュータ読取可能な記憶媒体上に具現化されると共に前記照明システム装置上で動作した場合に、
前記照明システム装置及び前記少なくとも１つの他の照明システム装置に関連する前記構成データを、リセットを実行する際に削除されないように記憶し、
リセット入力を受信し、
前記リセット入力を、前記構成済照明システムのパッケージ内の全ての結合された照明システム装置に縦続供給し、
前記照明システム装置をリセットし、
中央制御ユニットを検出すると共に前記照明システム装置を該中央制御ユニット上に登録し、該中央制御ユニットが前記構成データにアクセスして構成済照明システムの機能を回復するようにする、
処理を実行するコードを有する、
コンピュータプログラム。
【発明の詳細な説明】
【技術分野】
【０００１】
本開示は通信システムを介して照明システムを構成することに関するもので、該照明システムは部屋又は他の環境を照明するための１以上の照明器具等の１以上の照明装置を有する。
【背景技術】
【０００２】
殆どの環境には、１以上の照明装置が該環境を照明するための１以上の照明装置の形で設けられており、かくして、占有者が自身の場所を見付け及び／又は当該環境内の物体を見ることができるようにし、典型的には当該環境を全般的に又はその少なくとも一部を光で満たすようになっている。他のタイプの照明装置は、例えばライトショー又はステージ照明の一部としての照明効果を提供するための照明装置を含む。
【０００３】
伝統的に、電灯は、ユーザが手動で電灯スイッチを押し又は調光スイッチを回すことにより制御される。近年、電灯は、ユーザ端末等の他の装置を介して、及び更にはスマートフォン、タブレット又はラップトップコンピュータ等のモバイルユーザ端末を介して遠隔的に制御することもできる。このようにするために（ユーザ入力に応答して）、制御装置は、当該照明システムの受信側制御ユニットを宛先とする１以上の照明制御コマンドを、ネットワークを介して送信する。この構成は、上記照明制御コマンドを当該ネットワークのインターフェースに伝送するために使用される当該制御装置の適切な送信器を伴い、上記コマンドのメッセージは該インターフェースから当該ネットワークを介して該メッセージの宛先に向けられる。
【０００４】
例えば、１つの可能性は電灯をWi-Fi（登録商標）を介して制御することである。この場合、当該ネットワークは、少なくともWi-Fi（登録商標）通信規格に従って動作するよう構成された無線アクセスポイントの形のインターフェースを有し、前記制御装置（例えば、ユーザ端末）は該アクセスポイントにWi-Fi（登録商標）を用いて接続するように構成された対応する送信器を有する。該制御装置は、この場合、上記アクセスポイントとの接続を介して当該照明システムに照明制御コマンドを送信することができ、該コマンドのメッセージは該アクセスポイントから更に当該照明システム自体のコントローラに送信される。
【０００５】
他の例において、電灯はジグビ（ZigBee（登録商標））の形の他の短距離ＲＦアクセス技術を介して制御することができる。この場合、従来のアクセスポイントは含まれる必要はないであろう。例えば、当該制御装置上の送信器はジグビ通信規格を使用して当該照明システムの対応するジグビブリッジ又は中央コントローラインターフェースに１以上の制御コマンドを送信するように構成することができ、これが該制御コマンドを特定の照明器具に転送する。
【０００６】
伝統的照明システムを遠隔制御照明システムに変換することは、費用が掛かり、サービス可能な装置の撤去を必要とし得る。費用を低減するために、スイッチ、センサ及び電灯ユニット等の装置の部品は、事前に構成された（構成済）又は“接続動作可能（ConnectedReady）”装置としてパッケージ化することができる。このような構成済又は“接続動作可能”装置は、一緒に独立した組として動作し、互いに直接通信するようにパッケージ化されて販売される。例えば、スイッチ及び電灯ユニットは、部屋内の電灯ユニット又はスイッチユニットが故障した場合に該部屋の伝統的照明システムを置換するために、部屋内に設置されるべく一緒に事前に構成されて販売することができる。
【０００７】
このような“接続動作可能”パッケージは、更に、中央制御ユニット又はブリッジを後に設置することができ、装置の全てが該中央制御ユニット又はブリッジにより動作するよう構成することができるという点で拡張可能となるように構成することができる。このようなシステムにおいては、交換されることを要するスイッチ、センサ及び電灯ユニットのみが交換され、中央制御ユニットを追加する能力は費用が分散されることを可能にすると共に、使用可能な装置を廃棄又は処分することにより生じる浪費量を低減する。
【０００８】
このようなパッケージにおいて、アクチュエータ装置（電灯ユニット等の）及び制御装置（壁スイッチ等の）は、他の装置から独立して動作するように事前にコミッショニング及び構成することができる。かくして、これらは自身の私的通信ネットワーク（ジグビネットワーク等の）を有するものと考えることができる。
【０００９】
斯かる構成済の装置の組又はパッケージをＨＵＥシステム等の中央制御型ネットワークにアップグレードする処理は、ユーザ操作が特定の順序で実行されることを要し、さもなければ、当該接続動作可能装置は当該ネットワーク内で正しく動作しない可能性がある。更に、多数の接続動作可能装置をアップグレードする処理は、インストール処理を細かく調整するために大量の時間を更に必要とし得る。
【００１０】
例えば、電灯ユニット及び壁スイッチ等の簡単な構成済（又は“接続動作可能”）パッケージを、接続された“ブリッジ”ネットワーク（又はHueネットワーク）に構成するために、ユーザは当該電灯ユニット及び壁スイッチを別々に工場リセット又は工場新規モードにリセットしなければならない。次いで、ユーザはコントローラユニット又はブリッジに“新たな”装置を検索するように命令しなければならない。更に、該ブリッジは、上記壁スイッチを電灯ユニットに結合するように構成されなければならない。この例は簡単であるが、ユーザが構成すべき多くのアクチュエータ及びコントローラを伴う構成すべき多数のパッケージを有する場合（家庭の事前構成からブリッジネットワーク構成への完全な変換等）、斯かる構成は非常に複雑になり得、電灯ユニットの全てを正しくは制御することができない接続システムとなってしまうというようなエラーの可能性が高くなる。
【発明の概要】
【発明が解決しようとする課題】
【００１１】
接続される又はネットワーク化される照明システムにおいて、照明装置の事前に構成された（構成済）又は事前にコミッショニングされた（コミッショニング済）パッケージを、手動構成に起因するエラーなしでブリッジ又は中央制御ユニット照明アーキテクチャにより制御することができるように構成する能力が望まれる。言い換えると、ネットワーク接続照明システムを迅速で、面倒でなく且つユーザに優しい態様で構成する可能性、例えば特定の部屋又は環境内のユーザが構成済装置を家又は環境全体にわたるブリッジネットワークシステムを形成するように迅速で、面倒でなく且つユーザに優しい態様で構成することを可能にすることが有効であろう。
【課題を解決するための手段】
【００１２】
第１態様によれば、事前に構成された（構成済）照明システムのための照明システム装置が提供され、当該照明システム装置は前記構成済照明システムにおける少なくとも１つの他の照明システム装置と、当該照明システム装置及び前記少なくとも１つの他の照明システム装置に関連する構成データに基づいて直接結合され、当該照明システム装置は、更に、当該照明システム装置及び前記少なくとも１つの他の照明システム装置に関連する前記構成データを、リセットを実行する際に削除されないように記憶し；リセット入力を受信し；前記リセット入力を、前記構成済照明システムのパッケージ内の全ての結合された照明システム装置に縦続的に供給し；当該照明システム装置をリセットし；中央制御ユニットを検出すると共に当該照明システム装置を該中央制御ユニット上に登録し、該中央制御ユニットが前記構成データにアクセスして構成済照明システムの機能を回復するように構成される。
【００１３】
このようにして、互いに直接的に結合され又は通信するように構成された複数の装置を有する構成済照明システムを、中央制御ユニットを用いて機能するように変換することが可能になる。
【００１４】
前記構成データを記憶するように構成された前記照明システム装置は、該構成データを外部サーバに記憶するよう構成することができる。
【００１５】
このようにして、当該装置が工場新規動作モードに完全にリセットされると共に、該照明装置のメモリから全ての構成データが失われたとしても、該構成データには上記中央制御ユニットにより上記外部サーバからアクセスすることができる。
【００１６】
当該照明システム装置は前記構成データをユーザ装置に通知するように構成することができ、該ユーザ装置は該構成データを前記外部サーバに通知するように構成することができる。
【００１７】
このようにして、当該照明システム装置は上記構成データを外部サーバに上記ユーザ装置を介して迅速且つ容易に転送することができ、従って、長距離通信のための高価な送受信器装置は必要とせず、代わりに、ＮＦＣ又はブルートゥース（登録商標）等の短距離法を用いて通信することができる。
【００１８】
前記構成データを記憶するように構成された当該照明システム装置は、該構成データをメモリにおける当該照明システム装置がリセットされる際に削除されることからマスクされる部分に記憶するよう構成することができる。
【００１９】
当該照明システム装置は、更に、前記中央制御ユニットから前記構成データのリクエストを受信し；該リクエストに対して前記記憶された構成データを含む応答を発生し；該応答を前記中央制御ユニットに送信して、該中央制御ユニットが前記構成データにアクセスするように構成することができる。
【００２０】
このようにして、当該装置がリセットされても、構成データを記憶する上記メモリは消去されず、従って、該構成データは保存され、当該装置が上記中央制御ユニットに登録する場合に該中央制御ユニットによりアクセスすることができる。
【００２１】
前記リセット入力は、物理的入力とすることができる。
【００２２】
このような実施態様において、上記入力はボタン、スイッチ又は他の物理的入力とすることができ、該入力は物理的入力の定められた組み合わせ又はシーケンスとすることもできる。
【００２３】
前記リセット入力は、受信されるリセットコマンドメッセージとすることもできる。
【００２４】
このような実施態様において、上記入力は、構成済パッケージの照明システムから適切な中央制御ユニット又はブリッジを用いて制御することができるシステムへの変換処理を開始する装置から受信することができる。
【００２５】
前記リセット入力を前記構成済照明システムのパッケージ内の全ての結合された照明システム装置に縦続供給するように構成された当該照明システム装置は、全ての直接結合された照明システム装置を検出し；リセットコマンドメッセージを発生し；前記リセット入力を縦続供給するために、該リセットコマンドメッセージを前記直接結合された照明システム装置の各々に送信する；ように構成することができる。
【００２６】
このようにして、上記リセット情報は複数の照明システム装置を介して縦続的に伝わり、斯様な単一の入力が全体のシステムを中央制御ユニットに接続することを可能にする。
【００２７】
当該照明システム装置は、最初のリセット入力を受信した後、定められた期間にわたり如何なる更に受信されるリセット入力もマスクするように構成することができる。
【００２８】
例えば、幾つかの実施態様において、如何なる更なるリセット入力もマスク又は阻止することは、リセットのループが生じることを防止する。
【００２９】
当該照明システム装置は、制御可能な電灯ユニット、電灯スイッチ及びセンサユニットのうちの１つである。
【００３０】
第２態様によれば、構成済照明システムの照明システム装置を構成させるための中央制御ユニットが提供され、該中央制御ユニットは、リセットされた照明システム装置を当該中央制御ユニットに登録し；前記照明システム装置及び少なくとも１つの他の照明システム装置に関連する構成データをリクエストし；該構成データを受信し；前記照明システム装置と少なくとも１つの他の照明システム装置との間の論理リンクを発生して、前記照明システム装置と少なくとも１つの他の照明システム装置との間の構成済照明システムの機能を回復させる；ように構成される。
【００３１】
このような実施態様において、当該中央制御ユニットは前記構成済照明システムの機能を再確立することができる。
【００３２】
前記照明システム装置及び少なくとも１つの他の照明システム装置に関連する構成データをリクエストするように構成される当該中央制御ユニットは、更に、前記照明システム装置に関連する構成データのリクエストを発生して外部サーバに送信すると共に、該構成データを該リクエストに対する前記外部サーバからの応答内で受信するように構成することができる。
【００３３】
このような実施態様において、上記中央制御ユニットは上記外部サーバからの構成データにアクセスすることができ、従って、当該照明システム装置が完全なリセット又は工場新規リセットを実行することにより当該構成データを削除してしまったとしても、この構成データを取り出すことができる。
【００３４】
前記照明システム装置及び少なくとも１つの他の照明システム装置に関連する構成データをリクエストするように構成される当該中央制御ユニットは、更に、前記照明システム装置に関連する構成データのリクエストを発生して該照明システム装置に送信すると共に、該構成データを該リクエストに対する上記照明システム装置からの応答内で受信するように構成することができる。
【００３５】
ネットワーク化照明システムは、ここに記載した少なくとも２つの照明システム装置と、ここに記載した中央制御ユニットと、を有することができる。
【００３６】
第３態様によれば、構成済照明システムの一部として動作するように構成された照明システム装置を構成させるための方法が提供され、前記照明システム装置は前記構成済照明システムにおける少なくとも１つの他の照明システム装置と、前記照明システム装置及び前記少なくとも１つの他の照明システム装置に関連する構成データに基づいて直接結合され、当該方法は、前記照明システム装置及び前記少なくとも１つの他の照明システム装置に関連する前記構成データを、リセットを実行する際に削除されないように記憶するステップと；リセット入力を受信するステップと；前記リセット入力を、前記構成済照明システムのパッケージ内の全ての結合された照明システム装置に縦続供給するステップと；前記照明システム装置をリセットするステップと；中央制御ユニットを検出すると共に前記照明システム装置を該中央制御ユニット上に登録し、該中央制御ユニットが前記構成データにアクセスして構成済照明システムの機能を回復させるようにするステップと；を有する。
【００３７】
前記構成データを記憶するステップは、該構成データを外部サーバに記憶するステップを有することができる。
【００３８】
前記構成データを外部サーバに記憶するステップは、該構成データをユーザ装置に送信するステップと；該構成データを該ユーザ装置から前記外部サーバに送信するステップと；を有することができる。
【００３９】
前記構成データを記憶するステップは、該構成データをメモリにおける前記照明システム装置がリセットされる際に削除されることからマスクされる部分に記憶するステップを有することができる。
【００４０】
当該方法は、更に、前記中央制御ユニットから前記構成データのリクエストを受信するステップと；前記リクエストに対して前記記憶された構成データを含む応答を発生するステップと；前記応答を前記中央制御ユニットに送信して、該中央制御ユニットが前記構成データにアクセスするようにするステップと；を有することができる。
【００４１】
前記リセット入力を受信するステップは、物理的入力を受信するステップを有することができる。
【００４２】
前記リセット入力を受信するステップは、リセットコマンドメッセージを受信するステップを有することができる。
【００４３】
前記リセット入力を前記構成済照明システムのパッケージ内の全ての結合された照明システム装置に縦続供給するステップは、全ての直接結合された照明システム装置を検出するステップと；リセットコマンドメッセージを発生するステップと；前記リセット入力を縦続供給するために、該リセットコマンドメッセージを前記直接結合された照明システム装置の各々に送信するステップと；を有することができる。
【００４４】
当該方法は、最初のリセット入力を受信した後、定められた期間にわたり如何なる更に受信されるリセット入力もマスクするステップを更に有することができる。
【００４５】
第４態様によれば、構成済照明システムの照明システム装置を構成させるために中央制御ユニットを管理する方法が提供され、該方法は、リセットされた照明システム装置を前記中央制御ユニットに登録するステップと；前記照明システム装置及び少なくとも１つの他の照明システム装置に関連する構成データをリクエストするステップと；前記構成データを受信するステップと；前記照明システム装置と少なくとも１つの他の照明システム装置との間の論理リンクを発生して、前記照明システム装置と少なくとも１つの他の照明システム装置との間の構成済照明システムの機能を回復させるステップと；を有する。
【００４６】
前記照明システム装置及び少なくとも１つの他の照明システム装置に関連する構成データをリクエストするステップは、更に、前記照明システム装置に関連する構成データのリクエストを発生して外部サーバに送信するステップと；該構成データを該リクエストに対する前記外部サーバからの応答内で受信するステップと；を有することができる。
【００４７】
前記照明システム装置及び少なくとも１つの他の照明システム装置に関連する構成データをリクエストするステップは、更に、前記照明システム装置に関連する構成データのリクエストを発生して該照明システム装置に送信するステップと；該構成データを該リクエストに対する前記照明システム装置からの応答内で受信するステップと；を有することができる。
【００４８】
第５態様によれば、構成済照明システムのための照明システム装置を制御するためのコンピュータプログラムが提供され、前記照明システム装置は前記構成済照明システムにおける少なくとも１つの他の照明システム装置と、当該照明システム装置及び前記少なくとも１つの他の照明システム装置に関連する構成データに基づいて直接結合され、当該コンピュータプログラムは、１以上のコンピュータ読取可能な記憶媒体上に具現化されると共に前記照明システム装置上で動作した場合に、前記照明システム装置及び前記少なくとも１つの他の照明システム装置に関連する前記構成データを、リセットを実行する際に削除されないように記憶し；リセット入力を受信し；前記リセット入力を、前記構成済照明システムのパッケージ内の全ての結合された照明システム装置に縦続供給し；前記照明システム装置をリセットし；中央制御ユニットを検出すると共に前記照明システム装置を該中央制御ユニット上に登録し、該中央制御ユニットが前記構成データにアクセスして構成済照明システムの機能を回復するようにする各処理を実行するコードを有する。
【００４９】
前記構成データを記憶する処理は、前記照明システム装置に、該構成データを外部サーバに記憶する処理を更に実行させることができる。
【００５０】
前記構成データを外部サーバに記憶するステップは、前記照明システム装置に、該構成データをユーザ装置に送信する処理；及び該構成データを該ユーザ装置から前記外部サーバに送信する処理；を更に実行させることができる。
【００５１】
前記構成データを記憶する処理は、前記照明システム装置に、該構成データをメモリにおける前記照明システム装置がリセットされる際に削除されることからマスクされる部分に記憶する処理を更に実行させることができる。
【００５２】
前記照明システム装置は、更に、前記中央制御ユニットから前記構成データのリクエストを受信する処理；前記リクエストに対して前記記憶された構成データを含む応答を発生する処理；及び前記応答を前記中央制御ユニットに送信して、該中央制御ユニットが前記構成データにアクセスするようにする処理；を更に実行することができる。
【００５３】
前記リセット入力を受信する処理は、前記照明システム装置に、物理的入力を受信する処理を更に実行させることができる。
【００５４】
前記リセット入力を受信する処理は、前記照明システム装置に、リセットコマンドメッセージを受信する処理を更に実行させることができる。
【００５５】
前記リセット入力を前記構成済照明システムのパッケージ内の全ての結合された照明システム装置に縦続供給する処理は、前記照明システム装置に、全ての直接結合された照明システム装置を検出する処理；リセットコマンドメッセージを発生する処理；及び前記リセット入力を縦続供給するために、該リセットコマンドメッセージを前記直接結合された照明システム装置の各々に送信する処理；を更に実行させることができる。
【００５６】
当該照明システムは、最初のリセット入力を受信した後、定められた期間にわたり如何なる更に受信されるリセット入力もマスクする処理を実行するようにさせられ得る。
【００５７】
第６態様によれば、構成済照明システムの照明システム装置を構成させるために中央制御ユニットを管理するためのコンピュータプログラムが提供され、該コンピュータプログラムは、１以上のコンピュータ読取可能な記憶媒体上に具現化されると共に、前記中央制御ユニット上で動作した場合に、リセットされた照明システム装置を前記中央制御ユニットに登録する処理；前記照明システム装置及び少なくとも１つの他の照明システム装置に関連する構成データをリクエストする処理；前記構成データを受信する処理；及び前記照明システム装置と少なくとも１つの他の照明システム装置との間の論理リンクを発生して、前記照明システム装置と少なくとも１つの他の照明システム装置との間の構成済照明システムの機能を回復する処理；を実行するコードを有する。
【００５８】
前記照明システム装置及び少なくとも１つの他の照明システム装置に関連する構成データをリクエストする処理は、前記中央制御ユニットに、前記照明システム装置に関連する構成データのリクエストを発生して外部サーバに送信する処理；及び該構成データを該リクエストに対する前記外部サーバからの応答内で受信する処理；を更に実行させることができる。
【００５９】
前記照明システム装置及び少なくとも１つの他の照明システム装置に関連する構成データをリクエストする処理は、前記中央制御ユニットに、前記照明システム装置に関連する構成データのリクエストを発生して該照明システム装置に送信する処理；及び該構成データを該リクエストに対する前記照明システム装置からの応答内で受信する処理；を更に実行させることができる。
【００６０】
本開示の理解を支援すると共に実施態様をどの様に実施化することができるかを示すために、例示として添付図面が参照される。
【図面の簡単な説明】
【００６１】
【図１】図１は、ネットワーク化照明システムを有するシステムの概略図である。
【図２】図２Ａ乃至図２Ｄは、電灯ユニット及びスイッチの例示的構成済パッケージ又はブリッジ無し構成の概略図である。
【図３】図３は、幾つかの実施態様による構成済装置により実行される例示的縦続リセット処理のフローチャートである。
【図４】図４は、幾つかの実施態様による縦続リセット装置とブリッジとの間の例示的ネットワーク化照明システムの構成のフローチャートである。
【図５】図５は、幾つかの実施態様による装置のための他の例示的ネットワーク化照明システムの構成のフローチャートである。
【発明を実施するための形態】
【００６２】
以下は、構成済（事前に構成された）又は“接続動作可能（ConnectedReady）”装置をネットワーク化照明システムに組み込むことができる技術を開示する。典型的に構成済パッケージとして販売される“接続動作可能”装置に関して本明細書に記載されるものと同一の方法及び装置は、無ブリッジ又は分散型制御設備の一部として接続された如何なる装置にも適用することができる。このように、以下の記載が装置の構成済配置又はパッケージを参照する場合、同じ記載は無ブリッジ配置で動作している如何なる装置にも適用することができるか、又は構成をブリッジ又は中央制御される（Ｈｕｅ）ネットワーク配置に変換することができる。
【００６３】
このようなシステムの利点は、当該装置をＨｕｅ照明システム等のネットワーク化照明システムに組み込むために要する労力が低減され、一層低い設置費用及び一層少ないエラーにつながることである。
【００６４】
図１を参照すると、例示的な接続された又はネットワーク化された照明システム及び関連する装置の構成が示されている。図１に図示されたネットワーク化照明システムは例示的なＨｕｅ（登録商標）ネットワークを示しているが、ここで説明される思想は如何なる好適なネットワーク化照明システム内で実施化することもできる。
【００６５】
該ネットワーク化照明システムは、ブリッジ又は中央制御ユニット１０１を有することができる。該ブリッジは、電灯スイッチ、センサ及び電灯ユニット等の当該ネットワーク内の装置から入力を受信すると共に、外部のクラウド又はインターネットサーバ及びユーザ装置等の当該ネットワークの外部若しくは外側の装置から更に入力を受信するように構成することができる。該ブリッジは、更に、これらの入力を処理すると共に適切な出力を発生することができ、これら出力は当該ネットワーク内で例えば電灯ユニットを制御するために伝達することができる。同様に、ブリッジ１０１は、当該ネットワークの外部の装置に伝達することができる適切な出力を発生し、例えば受信された入力を確認すると共に当該電灯ユニットがオンされたことの指示情報を出力するように構成することができる。
【００６６】
ブリッジ１０１は、プロセッサ又はＣＰＵ１１３、メモリ１１５及び送受信器１１７を有することができる。
【００６７】
プロセッサ１１３は、幾つかの実施態様では、種々のプログラムコードを実行するように構成することができる。幾つかの実施態様において実施化されるプログラムコードは、本明細書で説明される入力監視、入力処理、照明システム制御出力発生及び照明システム構成コードを有する。実施化されるプログラムコードは、幾つかの実施態様では、必要な際にプロセッサ１１３により取り出されるために、例えばメモリ１１５に記憶することができる。メモリ１１５は、更に、本明細書に記載されるアプリケーションに従って例えばスイッチ入力、センサ又は照明システム制御信号データ等のデータを記憶するための部分を提供することができる。
【００６８】
実施態様における照明システム構成コードは、少なくとも部分的にハードウェア及び／又はファームウエアで実施化することができる。
【００６９】
ブリッジ１０１は、幾つかの実施態様では、例えば無線通信ネットワークを介して他の装置との通信を可能にするために適した送受信器（ＴＸ／ＲＸ）１１７を有する。送受信器１１７は他の装置と如何なる適切な既知の通信プロトコルにより通信することもでき、例えば、幾つかの実施態様において、送受信器１１７即ち送受信器手段はユニバーサルモバイル通信システム（ＵＭＴＳ）プロトコル、例えばIEEE 802.X等の無線ローカルエリアネットワーク（ＷＬＡＮ）プロトコル、ブルートゥース（登録商標）、ジグビ等の適切な短距離ラジオ周波数通信プロトコル又は赤外線データ通信経路（ＩＲＤＡ）を用いることができる。幾つかの実施態様において、送受信器１１７は他の装置との通信を２以上の通信プロトコル又はインターフェースを用いて可能にすることができる。
【００７０】
例えば、ブリッジ１０１は、ブリッジＡＰＩ１２１（ＷＬＡＮプロトコル又はＩＰドメイン通信リンク上の）を用いてユーザ装置１５１と通信し、他のＩＰドメイン通信リンク１７１を介して外部のクラウド又はインターネットサーバ１６１と通信し、ジグビ電灯リンク１４２を介して電灯ユニット１０５と通信し、ジグビセンサリンク１４４を介してセンサ装置１０７と通信し、ジグビスイッチリンク１４０を介して電灯スイッチ１０３と通信することができる。
【００７１】
図１に示された例には単一のブリッジ１０１しか存在しないが、幾つかの実施態様では、当該システムにわたって分散された２以上のブリッジ１０１又は制御ユニットが存在し得ることが理解される。幾つかの実施態様において、斯かる複数のブリッジ又は制御ユニットは、互いに通信するように構成することができると共に、本明細書で言及される制御機能を分散させることができる。しかしながら、幾つかの実施態様において、これらブリッジ又は制御ユニットのうちの１つはマスタブリッジ又は制御ユニットとして動作することができる一方、他のブリッジ又は制御ユニットは接続された装置と上記マスタブリッジ又は制御ユニットとの間でメッセージを転送するスレーブ又はダム制御ユニットとして動作する。
【００７２】
当該ネットワーク化照明システムは種々の入力及び出力装置を有することができる。例えば、図１に示されるものは、例示的装置としての電灯スイッチ１０３、電灯ユニット１０５及びセンサユニット１０７である。これら装置の当該ネットワークにおける数及び分散は如何なる好適なものでもあり得ると理解される。更に、幾つかの実施態様において、電灯スイッチ１０３及び電灯ユニット１０５は、最初は当該ブリッジと通信しない装置の構成済又は“接続動作可能”パッケージ１１１であるが、ここで説明するように当該ネットワーク化照明システムの一部を形成するように構成することができる。
【００７３】
電灯スイッチ１０３は、ユーザ入力を受信すると共に該入力をコマンドとして電灯ユニット１０５に通知するように構成することができる。幾つかの例において、上記コマンドの通知は、電灯スイッチ１０３及び電灯ユニット１０５がブリッジ１０１と通信しない装置の構成済又は“接続動作可能”パッケージ１１１の一部である場合に採用されるような直接通信リンク１０６のものであり得る。このような例において、電灯スイッチ１０３は該直接通信リンク１０６を介して“電灯オン”コマンドを電灯ユニット１０５に送信するように構成することができる。しかしながら、電灯スイッチ１０３は、更に、ブリッジ１０１に対し、該ブリッジ１０１に受け渡される“押下”通知等のスイッチ入力を供給するよう構成することもできる。
【００７４】
電灯スイッチ１０３は、プロセッサ又はＣＰＵ１２３、メモリ１２５、送受信器１２７及びユーザインターフェース又はユーザ入力部１２９を有することができる。
【００７５】
プロセッサ１２３は、幾つかの実施態様では、種々のプログラムコードを実行するように構成することができる。幾つかの実施態様において実施化されるプログラムコードは、本明細書で説明されるユーザ入力監視、ユーザ入力処理、照明システム制御出力発生及び照明システム構成コードを有する。実施化されるプログラムコードは、幾つかの実施態様では、必要な際にプロセッサ１２３により取り出すために、例えばメモリ１２５に記憶することができる。メモリ１２５は、更に、本明細書に記載されるアプリケーションに従って例えばスイッチ入力、センサ又は照明システム制御信号データ等のデータを記憶するための部分を提供することができる。
【００７６】
幾つかの実施態様における電灯スイッチ１０３は、例えば無線通信ネットワークを介して他の装置との通信を可能にするのに適した送受信器（ＴＸ／ＴＲ）１２７を有する。送受信器１２７は他の装置と如何なる好適な既知の通信プロトコルにより通信することもでき、例えば、幾つかの実施態様において、該送受信器１２７即ち送受信器手段は電灯ユニット１０５及び／又はブリッジ１０１と通信するためにジグビ通信リンクを使用することができる。
【００７７】
電灯スイッチユーザインターフェース（ＵＩ）１２９は、ユーザが当該照明システムにコマンドを入力することを可能にする。ユーザインターフェース１２９は、例えば、キーパッド、物理的スイッチ、ユーザのタッチを検出するように構成されたタッチインターフェース又は非接触のジェスチャ制御を判定するためのインターフェースとすることができる。幾つかの実施態様において、ＵＩ１２９は、例えば電灯ユニットがオン又はオフされる場合を示すために発光ダイオードが当該電灯スイッチのスイッチ又は一部を照明する等の情報をユーザに提供するように構成することができる。幾つかの実施態様において、ＵＩ１２９は、例えばＬＣＤ、ＬＥＤ又は他の表示技術等の視覚的表示器とすることができる。幾つかの実施態様においては、タッチスクリーンが該ＵＩ１２９のための入力及び出力の両機能を提供することができる。
【００７８】
電灯ユニット１０５は、ブリッジ１０１及び／又は電灯スイッチ１０３から電灯ユニットコマンド及び他のメッセージを受信するように構成することができる。幾つかの例において、上記コマンドは、電灯スイッチ１０３及び電灯ユニット１０５がブリッジ１０１と通信しない装置の構成済又は“接続動作可能”パッケージ１１１の一部である場合に採用されるような直接通信リンク１０６を介して受信することができる。このような例において、電灯ユニット１０５は電灯スイッチ１０３から該直接通信リンク１０６を介して“電灯オン”コマンドを受信するように構成することができる。しかしながら、電灯ユニット１０５は、更に、電灯コマンド等のメッセージをブリッジ１０１からジグビ電灯リンク１４２を介して受信するように構成することができる。
【００７９】
電灯ユニット１０５は、プロセッサ又はＣＰＵ１３３、メモリ１３５、送受信器１３７及び少なくとも１つの制御可能な光発生（電灯）エレメント１３９を有することができる。
【００８０】
プロセッサ１３３は、幾つかの実施態様では、種々のプログラムコードを実行するように構成することができる。幾つかの実施態様において実施化されるプログラムコードは、本明細書で説明される制御コマンド監視、コマンド処理、上記電灯エレメントのための電力制御及び照明システム構成コードを有する。実施化されるプログラムコードは、幾つかの実施態様では、必要な際にプロセッサ１３３により取り出すために、例えばメモリ１３５に記憶することができる。メモリ１３５は、更に、本明細書に記載されるアプリケーションに従って例えば制御信号データ等のデータを記憶するための部分を提供することができる。
【００８１】
幾つかの実施態様における電灯ユニット１０５は、例えば無線通信ネットワークを介して他の装置との通信を可能にするのに適した送受信器（ＴＸ／ＴＲ）１３７を有する。該送受信器１３７は他の装置と如何なる好適な既知の通信プロトコルにより通信することもでき、例えば、幾つかの実施態様において、該送受信器１３７即ち送受信器手段は電灯スイッチ１０３及び／又はブリッジ１０１と通信するためにジグビ通信リンクを使用することができる。
【００８２】
前記制御可能な光発生エレメント１３９は、発光ダイオード並びに白熱、ハロゲン、蛍光及び高輝度放電ランプ等の如何なる好適な可制御光発生エレメントとすることもできる。該制御可能な光発生エレメント１３９は、例えば、輝度（強度）及び／又はカラーを制御可能とすることができる。
【００８３】
センサユニット１０７は、環境入力（例えば、温度又は動き）を測定し、該入力をブリッジ１０１に通知するように構成することができる。幾つかの例において、上記入力の通知はジグビ接続１４４を介してブリッジ１０１に供給することができる。
【００８４】
センサユニット１０７は、プロセッサ又はＣＰＵ１４３、メモリ１４５、送受信器１４７及びセンサ１４９を有することができる。
【００８５】
プロセッサ１４３は、幾つかの実施態様では、種々のプログラムコードを実行するように構成することができる。幾つかの実施態様において実施化されるプログラムコードは、本明細書で説明されるセンサ監視、照明システムセンサメッセージ発生及び照明システム構成コードを有する。実施化されるプログラムコードは、幾つかの実施態様では、必要な際にプロセッサ１４３により取り出すために、例えばメモリ１４５に記憶することができる。メモリ１４５は、更に、本明細書に記載されるアプリケーションに従って例えばセンサデータ等のデータを記憶するための部分を提供することができる。
【００８６】
幾つかの実施態様におけるセンサユニット１０７は、例えば無線通信ネットワークを介して他の装置との通信を可能にするのに適した送受信器（ＴＸ／ＴＲ）１４７を有する。該送受信器１４７は他の装置と如何なる好適な既知の通信プロトコルにより通信することもでき、例えば、幾つかの実施態様において、該送受信器１４７即ち送受信器手段はブリッジ１０１と通信するためにジグビ通信リンクを使用することができる。
【００８７】
センサ１４９は如何なる好適なセンサタイプ又は構成のものとすることもできる。例えば、該センサは、温度センサ、部屋内に人が居るかを監視するための受動赤外線センサ又はカメラとすることができる。
【００８８】
ここに示される例は電灯ユニット、電灯スイッチ又はセンサユニットである装置を表しているが、幾つかの実施態様において、上記センサユニットの機能は電灯ユニット又は電灯スイッチ内で実施化することもできる。
【００８９】
更に、図１に示されるシステムは、外部又はクラウドサーバ１６１を更に示している。該外部又はクラウドサーバ１６１は、インターネットプロトコル（TCP/IP）又は同様の通信リンク１７１を介してブリッジ１０１と通信するように構成することができる。更に、該外部サーバ１６１はユーザ装置１５１と通信するように構成することができる。該外部サーバ１６１は、例えば、当該ネットワーク化照明システムを本明細書に記載されるように構成する場合にブリッジ１０１により使用される構成データを記憶するために利用することができる。
【００９０】
外部サーバ１６１は、プロセッサ又はＣＰＵ１６３、メモリ１６５及び送受信器１６７を有することができる。
【００９１】
プロセッサ１６３は、幾つかの実施態様では、種々のプログラムコードを実行するように構成することができる。幾つかの実施態様において実施化されるプログラムコードは、本明細書で説明される照明システム構成コードを有する。実施化されるプログラムコードは、幾つかの実施態様では、必要な際にプロセッサ１６３により取り出すために、例えばメモリ１６５に記憶することができる。メモリ１６５は、更に、本明細書に記載されるアプリケーションに従って例えばスイッチ入力、センサ又は照明システム制御信号データ等のデータを記憶するための部分を提供することができる。
【００９２】
幾つかの実施態様における外部サーバ１６１は、他の装置との通信を可能にするのに適した送受信器（ＴＸ／ＴＲ）１６７を有する。該送受信器１６７は他の装置と如何なる好適な既知の通信プロトコルにより通信することもでき、例えば幾つかの実施態様において、該送受信器１６７即ち送受信器手段は、ブリッジ１０１と通信するためにTCP/IP通信リンク１７１を使用することができる一方、ユーザ装置１５１と通信するために他の通信リンク１３１を介して遠隔ＡＰＩの動作を更にサポートすることができる。
【００９３】
ユーザ装置又はユーザ機器１５１は、例えば、照明制御プログラム又は同様のものを実行するように構成されると共に前記ブリッジにブリッジＡＰＩを用いてアクセスするように構成された計算装置であり得る。ユーザ装置１５１は、例えば、携帯電話、タブレットコンピュータ、ラップトップコンピュータ、デスクトップコンピュータ又は同様のものとすることができる。このように、該ユーザ装置は遠隔電灯スイッチ及び／又は“遠隔”センサとして動作するよう構成することができる。また、ユーザ装置１５１は、当該照明システム内の装置から情報を（例えば、構成済パッケージ内の電灯スイッチ又は電灯ユニットから構成情報等を）受信すると共に、この情報を、当該装置が前記ブリッジを有するネットワーク化照明システムの一部として構成される場合に該装置が正しく再構成され得るように記憶若しくは伝送することができるように構成することもできる。
【００９４】
ユーザ装置１５１は、プロセッサ又はＣＰＵ１５３、メモリ１５５、送受信器１５７及びユーザインターフェース１５９を有することができる。
【００９５】
プロセッサ１５３は、幾つかの実施態様において、種々のプログラムコードを実行するように構成することができる。幾つかの実施態様において実施化されるプログラムコードは、本明細書で説明される入力発生及び照明システム構成コードを有する。実施化されるプログラムコードは、幾つかの実施態様では、必要な際にプロセッサ１５３により取り出すために、例えばメモリ１５５に記憶することができる。メモリ１５５は、更に、本明細書に記載されるアプリケーションに従って例えばスイッチ入力、センサ又は照明システム制御信号データ等のデータを記憶するための部分を提供することができる。
【００９６】
幾つかの実施態様におけるユーザ装置１５１は、例えば無線通信ネットワークを介して他の装置との通信を可能にするのに適した送受信器（ＴＸ／ＴＲ）１５７を有する。該送受信器１５７は他の装置と如何なる好適な既知の通信プロトコルにより通信することもでき、例えば幾つかの実施態様において、該送受信器１５７即ち送受信器手段は、好適なユニバーサルモバイル通信システム（ＵＭＴＳ）プロトコル、例えばIEEE 802.X等の無線ローカルエリアネットワーク（ＷＬＡＮ）プロトコル、ブルートゥース（登録商標）、ジグビ等の好適な短距離ラジオ周波数通信プロトコル又は赤外線データ通信経路（ＩＲＤＡ）を用いることができる。幾つかの実施態様において、送受信器１５７は２以上の通信プロトコル又はインターフェースを用いて他の装置との通信を可能にすることができる。
【００９７】
例えば、ユーザ装置１５１はブリッジＡＰＩ１２１（ＷＬＡＮプロトコル又はＩＰドメイン通信プロトコルリンクを介する）を用いてブリッジ１０１と通信することができる一方、近接場通信（ＮＦＣ）通信リンクを用いてＮＦＣ能力を備える電灯ユニット又はスイッチと通信することができる。
【００９８】
ユーザ装置のユーザインターフェース（ＵＩ）１５９は、ユーザがコマンドを当該照明システムに入力することを可能にする。ユーザインターフェース１５９は、例えば、キーパッド、物理的スイッチ又はユーザのタッチを検出するように構成されたタッチインターフェースとすることができる。幾つかの実施態様において、ＵＩ１５９はユーザに情報を提供するように構成することができ、例えばＬＣＤ、ＬＥＤ又は他の表示技術等の視覚的表示器とすることができる。幾つかの実施態様においては、タッチスクリーンがＵＩ１５９のための入力及び出力の両機能を提供することができる。
【００９９】
図２Ａ〜図２Ｄを参照すると、電灯ユニット及び電灯スイッチの例示的“接続動作可能”又は構成済パッケージの配置が示されている。
【０１００】
図２Ａを参照すると、第１リンク２０２を介して単一の電灯ユニット２０３に結合された単一のスイッチ２０１を有する第１パッケージが示されている。
【０１０１】
図２Ｂを参照すると、単一の電灯スイッチ２１１並びに第１電灯ユニット２１３及び第２電灯ユニット２１５を有する第２パッケージが示されている。電灯スイッチ２１１は、第１リンク２１２を介して第１電灯ユニット２１３を制御するための第１スイッチエレメント及び第２リンク２１４を介して第２電灯ユニット２１５を制御するための第２スイッチエレメントを有することができる。
【０１０２】
図２Ｃを参照すると、第１電灯スイッチ２２０、第２電灯スイッチ２２１、第１電灯ユニット２２３及び第２電灯ユニット２２５を有する第３パッケージが示されている。第１電灯スイッチ２２０は、第１リンク２２２を介して第１電灯ユニット２２３を制御するための第１スイッチエレメント及び第２リンク２２４を介して第２電灯ユニット２２５を制御するための第２スイッチエレメントを有することができる。更に、第２電灯スイッチ２２１は第３リンク２２６を介して第２電灯ユニット２２５を制御することができる。
【０１０３】
図２Ｄを参照すると、第１電灯スイッチ２３０、第２電灯スイッチ２３１、第１電灯ユニット２３３、第２電灯ユニット２３５及び第３電灯ユニット２３７を有する第４パッケージが示されている。第１電灯スイッチ２３０は、第１リンク２３２を介して第１電灯ユニット２３３を制御するための第１スイッチエレメント及び第２リンク２３４を介して第２電灯ユニット２３５を制御するための第２スイッチエレメントを有することができる。更に、第２電灯スイッチ２３１は、第３リンク２３６を介して第２電灯ユニット２３５を制御するための第１スイッチエレメント及び第４リンク２３８を介して第３電灯ユニット２３７を制御するための第２スイッチエレメントを有することができる。
【０１０４】
ここに記載される概念は、コミッショニング済の（又は“接続動作可能”構成の）電灯ユニット、スイッチ及びセンサが、図１に示されたようなネットワーク化照明システム内で動作するように容易且つエラーを発生することなく構成される能力を提供するものである。言い換えると、装置に、互いに直接通信することからブリッジ又は中央制御ユニット照明ネットワークに容易に変換する能力を提供することである。
【０１０５】
このことは、幾つかの実施態様において、２つの部分で実施化することができる。
【０１０６】
構成済又はコミッショニング済装置（電灯ユニット等の）の再構成の第１部分は、装置リセット及び縦続リセット処理である。当該装置の再構成の第２部分は、装置ネットワーク構成処理である。
【０１０７】
図３を参照すると、例示的装置リセット及び縦続リセット処理が示されている。これら処理は、パッケージ内の装置の何れに対しても実行することができる。例えば、電灯ユニット１０５、電灯スイッチ１０３又はセンサユニット１０７等の装置である。
【０１０８】
図３は、構成情報が“安全な”領域に記憶される事前リセット又は初期処理を示す。該例において、この場合、当該処理は構成更新処理である。例えば、電灯スイッチ操作構成詳細を、当該スイッチが操作された場合に当該パッケージにおける何の電灯ユニットが切り換えられるか等のように変更することができる（又は、電灯ユニット若しくはセンサの構成詳細を変更することができる）。該変更は、次いで、当該装置上のメモリ内に記憶することができる。構成情報が記憶されるメモリは、幾つかの実施態様においては、マスクされ、フラグ付けされ又は、さもなければ、リセット処理の間に消去されることから保護され得る。
【０１０９】
当該装置に関して構成データを更新する処理（縦続リセットコマンドを受信する前の）は、図３にステップ３０１により示されている。
【０１１０】
当該装置は縦続リセット信号又は入力を受信するように構成することができる。該縦続リセット入力は、幾つかの実施態様では、装置上の機械式スイッチ等の物理的入力であり得る。例えば、当該装置は“縦続リセット”機能ボタンを装備することができる。“縦続リセット”を実行するためのボタン又はスイッチは、例えば、当該装置上で“工場新規”又は“工場リセット”と印すことができる。しかしながら、幾つかの実施態様において、前記“縦続リセット”処理は、別個の物理的ボタン又はスイッチによる工場新規へのリセットコマンドから、上記“工場新規”ボタン又はスイッチを区別又は分別することができる。幾つかの実施態様においては、ボタン又はスイッチの定められた組合せの押下又は操作が“縦続リセット”入力を形成する。例えば、幾つかの実施態様において、“リセット”ボタンの短いボタン押下は再ブート入力を形成し、所定の秒数より長いボタンの押下は“縦続リセット”入力を形成する。
【０１１１】
幾つかの実施態様において、上記縦続リセット入力は遠隔装置から受信されるコマンドである。該縦続リセットは、例えば、無線通信リンクを介して受信することができる。幾つかの実施態様において、縦続リセットは、構成済装置が参入するように構成されるべきｈｕｅシステム又は他のネットワーク化システムから縦続リセットの起動を可能にするパン間（inter-pan）コマンドである。
【０１１２】
幾つかの実施態様において、縦続リセットコマンドは、既存のネットワーク標準（例えば、ジグビ）コマンド上にマッピングすることができるか、又は製造者固有の拡張として実施化することができる。
【０１１３】
縦続リセット入力を受信する処理は、図３ではステップ３０３により示されている。
【０１１４】
当該装置は、次いで、縦続リセット入力を処理し、縦続リセット処理を開始して当該装置を“工場新規”モードへ戻すことができる。
【０１１５】
当該装置に関する工場新規処理へのリセットを開始する処理は、図３ではステップ３０５により示されている。
【０１１６】
更に、当該装置は、この装置に接続された何らかの更なる（他の）装置が存在するかを検出するように構成することができる。
【０１１７】
当該装置に接続された何らかの更なる装置が存在するかを検出する処理は、図３ではステップ３０７により示されている。
【０１１８】
当該装置は、次いで、上記の検出された更なる装置の何れかに送信されるべき縦続リセットコマンドメッセージを発生するすることができる。
【０１１９】
該縦続リセットコマンドメッセージを発生する処理は、図３ではステップ３０９により示されている。
【０１２０】
当該装置は、次いで、該縦続リセットコマンドメッセージを上記の検出された更なる装置へ送信することができる。
【０１２１】
該縦続リセットコマンドメッセージを送信する処理は、図３ではステップ３１１により示されている。
【０１２２】
上記更なる装置は、次いで、上記縦続リセットコマンドメッセージを受信することができる（言い換えると、該更なる装置に関して、当該処理がステップ３０３で開始される）。
【０１２３】
当該装置は、次いで、以前に開始された工場新規処理へのリセットを実行することができる。
【０１２４】
工場新規リセットへのリセットを実行する処理は、図３ではステップ３１３により示されている。
【０１２５】
図３に示された例において、縦続リセットコマンドメッセージの発生及び該縦続リセットコマンドメッセージの送信は一方向的である。しかしながら、幾つかの実施態様において、上記縦続リセットコマンドメッセージの送信は、受信の肯定アクノレッジが受信されるまで完了されない。アクノレッジの使用は、送受信器を周期的にしか起動させない低電力及び／又は電池給電装置が縦続リセットコマンドメッセージを逃すことを防止するために実施することができる。同様の理由により、幾つかの実施態様において、当該送受信器は、当該メッセージの成功裏の受信を保証するために更なる各装置に複数の縦続リセットコマンドメッセージを送信するよう構成することができる。
【０１２６】
このような実施態様において、縦続リセット処理は構成済パッケージ内の全ての装置を経て進み、これら装置がブリッジ装置と接続して構成し、当該ネットワーク化照明システム内で動作することができるようになることを可能にする。
【０１２７】
幾つかの実施態様において、ここで説明される縦続リセット処理は、修正された“工場新規”リセットを起動又は実行するように構成され、“工場新規”処理と“縦続リセット”処理との間の違いは、該“縦続リセット”処理の間において当該装置のメモリに記憶された当該構成済パッケージ内の該装置の構成を詳述する構成データが削除又は消去されないということである。前述したように、このことは、当該メモリの一部をリセット処理からマスクすることにより、又は選択的な削除若しくは消去を実行することにより達成することができる。
【０１２８】
例えば、縦続リセット入力は図２Ａに示されたような構成済パッケージに関して電灯スイッチ２０１に供給することができる。該電灯スイッチ２０１は、例えば、該縦続リセット入力を物理的ボタン又はスイッチの押下の形で受信し、次いで、電灯ユニット２０３の検出及びリンク２０２により該電灯ユニット２０３に送信されるべき縦続リセットコマンドメッセージの発生を含む縦続リセット処理を開始する。次いで、該電灯スイッチ２０１は自身のリセット処理を実行する。電灯ユニット２０３は上記縦続リセットコマンドメッセージを該電灯スイッチ２０１から受信し、次いで、他の接続された装置が存在しないと判定したら自身のリセット処理を実行する。
【０１２９】
縦続リセット処理の他の例を、図２Ｃに示された構成済パッケージに関して説明する。この例において、第１電灯スイッチ２２０は縦続リセット入力を受信する。該第１電灯スイッチ２２０は、次いで、他の接続された装置を第１電灯ユニット２２３及び第２電灯ユニット２２５として検出し、次いで、縦続リセットコマンドメッセージを発生して第１電灯ユニット２２３にリンク２２２を介して送信すると共にリンク２２４を介して第２電灯ユニット２２５に送信する。この場合、第１電灯ユニット２２３は上記メッセージを受信して縦続リセット処理を開始し、接続された更なる装置が存在しないと判定し、次いで自身に対しリセット処理を実行することができる。第２電灯ユニット２２５は上記メッセージを受信し、縦続リセット処理を開始する。この場合、第２電灯ユニット２２５は接続された更なる装置、即ち第２電灯スイッチ２２１が存在することを検出し、更なる縦続リセットコマンドメッセージを発生して、該第２電灯スイッチ２２１にリンク２２６を介して送信することができる。この場合、第２電灯スイッチ２２１は上記更なる縦続リセットコマンドメッセージを受信し、縦続リセット処理を開始する。該第２電灯スイッチ２２１は、接続された更なる装置は存在しないと判定し、自身をリセットする。
【０１３０】
このように、両例においては当該パッケージ内の全ての装置をリセットするために単一の入力しか必要とされず、かくして、これら装置は当該構成の第２部分を実施する準備が整う。
【０１３１】
上述した例において、接続された更なる装置の検出（判定）は当該縦続リセットコマンドメッセージを送出した装置の検出も含み得、従って縦続リセットコマンドメッセージが発生されて送信して戻されることになる。このような実施態様において、縦続リセット処理を開始する前記処理は、如何なる更に受信された縦続リセットコマンドも、当該装置がブリッジに対して動作するよう構成されるまで、阻止することができる。
【０１３２】
図４を参照すると、構成済パッケージからブリッジネットワーク化照明システム動作への変換の第２部分が更に詳細に示されている。このように、図４は当該装置が、リセット処理を実行する動作に続いて当該ネットワーク化照明システム内で動作するよう構成するための例示的処理を示している。
【０１３３】
縦続リセットを実行した当該装置は、次いで、開放ネットワーク検索の実行を開始することができる。該開放ネットワーク検索は、何らかの接続された照明システムネットワーク（例えば、ブリッジ１０１により制御されるネットワーク）を見付けようと試みるものである。言い換えると、当該装置は、ブリッジ１０１又は当該ネットワーク内のトラフィック転送ノードとして動作するよう構成することができる他の装置から送信されるネットワークメッセージを聴取するよう構成することができる。
【０１３４】
本明細書で説明されるように、幾つかの実施態様において、当該装置は、更に、リセット処理の如何なるループ形成又は循環も防止するために到来する縦続リセットコマンド又はリクエストをマスク又は阻止するように構成することができる。
【０１３５】
開放ネットワークを検索する処理は、図４ではステップ４０１により示されている。
【０１３６】
当該装置は、次いで、検出された開放ネットワークが適切であることを識別することができる。例えば、当該装置は、当該信号強度が適切であるかを、又は当該ネットワークを稼働させているブリッジが該装置を管理することができることを判定するよう構成することができる。
【０１３７】
開放ネットワークを検出すると共に該開放ネットワークが当該装置を構成するのに適していることを識別する処理は、図４にステップ４０３により示されている。
【０１３８】
当該装置は、次いで、ブリッジに対するネットワーク登録処理を開始することができる。例えば、当該ネットワーク化照明システムがＨｕｅシステムである場合、当該装置をブリッジに登録するためのＨｕｅ処理が実行される。
【０１３９】
当該装置をブリッジに最初に登録する処理は、図４にステップ４０５により示されている。
【０１４０】
幾つかの実施態様において、当該装置のブリッジにおける登録は、該ブリッジに該装置に対して“構成リクエスト”メッセージを発生して送信させる。このことは、登録処理の一部として実施される。
【０１４１】
当該装置は、上記構成リクエストメッセージを受信するように構成することができる。当該装置は、例えば、上記構成リクエストを受信した場合に、前記縦続リセット前に及び該装置が前記構成済パッケージの一部であった場合に該装置に関連付けられていた構成データを検出若しくは取り出すように構成されたリクエスト構成インターフェース又はアプリケーションを有することができる。例えば、電灯スイッチに関する場合、該構成データは該電灯スイッチにより制御された電灯ユニット又は複数の電灯ユニットを識別することができる。同様に、電灯ユニットの場合、該構成データは該電灯ユニットが“作動”された場合に出力されるべき光の輝度及び光のカラーを識別することができる。このように、当該装置は、該装置のメモリに記憶された（例えば、前述したマスクされたメモリ領域に記憶された）グループ、シーン又は他の接続された装置のデータ等の構成データにアクセスすることができる。
【０１４２】
事前にリセットされた構成データを検出する該処理は、図４にステップ４０７により示されている。
【０１４３】
当該装置は、次いで、上記構成データをブリッジに通知することができる。
【０１４４】
上記構成データをブリッジに送信又は通知する該処理は、図４にステップ４０９により示されている。
【０１４５】
当該ブリッジは、次いで、この構成データを記憶し又は該構成データを処理して、前記構成済パッケージの装置間の論理リンクを発生又は設定することができる。このように、当該ブリッジが全ての“新しい”装置を発見した後、該ブリッジは該全ての“新しい”装置に構成データを問い合わせ、それに従って制御ルールを作成する。
【０１４６】
上記構成データを記憶し又は該構成データを処理する処理は、図４にステップ４１１により示されている。
【０１４７】
例えば、このことは、ＺＬＬフォーマットを用いた制御の実施（言い換えると、図２Ａに示された例の場合、電灯スイッチ２０１上のボタンが押された際に、該電灯スイッチは第１電灯ユニット２０３に“電灯オン”コマンドを送信する）から、Ｈｕｅフォーマットへの変換（電灯スイッチ２０１上のボタンが押された場合、該電灯スイッチは“押下”通知をブリッジに送信し、該ブリッジは“電灯オン”コマンドを該ブリッジ内で規定されたルールに基づいて電灯ユニット２０３へ送信する）を含み得る。幾つかの実施態様において、当該装置が電池給電されるもので、“常にオン”の通信リンクを維持するものでない場合、該装置は前記縦続リセット後の定められた期間にわたりたびたびポーリングを行って、自身をブリッジに対して接続及び構成するように動作するよう構成することができる。
【０１４８】
図５を参照すると、構成済パッケージからネットワーク化照明システム制御例への他の変換法が示されている。図５を参照して示される該例においては、構成データを記憶するためにクラウド装置又は外部サーバが用いられ、当該装置がリセットされた場合、構成データは失われず、当該ネットワーク化照明システム内で当該装置を動作させるための論理リンク及びルールを生成するためにブリッジにより取り出すことができるようにする。
【０１４９】
図５に示される例は、３つの部分に分割することができる。これら３つの部分は、当該装置が外部サーバ上に登録される第１又は登録部分５５１、当該装置がリセットされる第２又はリセット部分５５３、及び当該装置が通信し、外部サーバ１６１から構成データを取り出すことができるブリッジ上で自身を構成する第３又は構成部分５５７とすることができる。
【０１５０】
図５に示される例においては、電灯ユニット１０５が、登録／リセット／構成される当該装置である。しかしながら、これらの処理は、構成済パッケージ内の各装置上で実行することができる。
【０１５１】
処理の登録部分５５１は、ユーザが外部サーバ１６１に接続することにより実行することができる。例えば、幾つかの実施態様において、装置１０５の登録は、近接場通信（ＮＦＣ）能力を持つユーザ装置１５１を用いて該装置１０５と通信することにより実行することができる。このように、幾つかの実施態様において、ユーザ装置１５１は、装置１０５内のＮＦＣ能力を検出し、装置１０５を識別する１６進コード及び該装置１０５に関連する構成データを取り出すことができる。
【０１５２】
当該装置と通信し、識別子（前記１６進コード）及び構成データを取り出す処理は、図５にステップ５０１により示されている。
【０１５３】
ユーザ装置１５１は、次いで、上記１６進コード及び構成データを外部サーバ１６１上に登録することができる。
【０１５４】
上記識別子及び構成データのユーザ装置から外部サーバ１６１への送信は、図５にステップ５０３により示されている。
【０１５５】
外部サーバ１６１は、次いで、上記識別子及び構成データを該外部サーバ１６１のメモリ内に登録及び記憶することができる。
【０１５６】
上記識別子及び構成データを外部サーバ上に登録及び記憶する処理は、図５ではステップ５０５により示されている。
【０１５７】
このようにして、当該装置は外部サーバ上に登録され、かくして、当該構成情報は、該情報が該装置から削除され又は消去されても（例えば、完全なメモリリセット処理を実施した場合）、取り出すことができる。
【０１５８】
ユーザ装置１５１はＮＦＣ接続を用いて装置１０５の識別子及び構成データを検出又は受信すると共に斯かる情報を外部サーバ１６１に受け渡すことが示されたが、該情報は如何なる好適な手段を用いて外部サーバ１６１に受け渡すこともできると理解される。例えば、当該装置は斯かる情報を外部サーバ１６１に直接登録するように構成することもできる。更に、幾つかの実施態様において、ユーザは、適切なユーザインターフェースを実施化する外部サーバ１６１上で詳細を入力することができる。
【０１５９】
更に、幾つかの実施態様において、ここに説明した外部サーバ１６１の役割は、如何なる好適な計算装置内で果たすこともできる。例えば、ユーザ装置１５１は外部サーバ１６１を有することができる。言い換えると、該ユーザ装置は上記構成情報を受信すると共に、該情報を例えば照明制御アプリケーション又はプログラムの作業メモリ空間の一部として内部的に記憶する。
【０１６０】
この登録部分は構成済パッケージの装置が最初に設置される場合に実施することができるが、この登録方法は、当該装置に関する構成データを変更することに続いて等のように如何なる好適な時点においても、又はユーザ装置上で動作するアプリケーションにより供給される命令によりブリッジ設置シーケンスの一部として実施することができると理解される。
【０１６１】
第２又はリセット部分５５３は、構成済パッケージ内の全ての装置の登録に続いて実施することができる。
【０１６２】
該リセット部分は、装置の構成済パッケージがネットワーク化照明システム内で動作するよう変換するためのブリッジの設置を制御するプログラム又はアプリケーションをユーザ装置１５１が実行することにより最初に起動され得る。例えば、ユーザ装置１５１は、当該装置のリセットを開始するためにコマンドメッセージを発生し、ブリッジに送信するように構成することができる。
【０１６３】
ユーザ装置からリセットコマンドメッセージを発生してブリッジに送信する処理は、図５ではステップ５１１により示されている。
【０１６４】
幾つかの実施態様において、該リセットのトリガは、装置の構成済パッケージにおける装置のうちの１つにより発生し、送信することができる。
【０１６５】
上記リセットコマンドメッセージを受信したブリッジは、外部サーバ１６１に対し識別リクエストを発生して送信し、前記装置の構成済パッケージにおける登録された全ての装置に関する識別データをリクエストする。
【０１６６】
ブリッジ１０１から装置のアドレスに関する識別リクエストを発生して外部サーバ１６１へ送信する該処理は、図５にステップ５１３により示されている。
【０１６７】
装置の識別情報に関するリクエストを受信した外部サーバ１６１は、該リクエストに対する応答を発生し、送信することができる。例えば、該応答は当該装置の識別情報のための登録された１６進コードを有することができる。
【０１６８】
上記応答を外部サーバからブリッジに送信する処理は、図５ではステップ５１５により示されている。
【０１６９】
当該ブリッジは、次いで、縦続リセットコマンドメッセージを発生し、該メッセージを当該装置の１つに送信することにより縦続形式のリセットを実施することができる。この場合、該縦続リセットは当該構成済パッケージの装置を介して前述したのと同様の態様で伝搬することができる。
【０１７０】
縦続リセット連鎖を開始するために縦続リセットコマンドメッセージをブリッジから発生して装置に送信する処理は、図５においてステップ５１７により示されている。
【０１７１】
ここで説明される例はリセットの連鎖を開始するために装置のうちの１つに対する縦続リセットコマンドメッセージの発生及び送信を示しているが、幾つかの実施態様において、当該ブリッジはリセットコマンドメッセージを当該装置の各々に対して発生し、送信するよう構成することができることが理解される。
【０１７２】
このようにして、当該装置はリセットされ、ブリッジにより接続され、構成される準備が整う。
【０１７３】
第３又は構成部分５５７は、リセットされた装置１０５が開放ネットワーク及び接続すべきブリッジ１０１を検索することで開始することができる。適切なブリッジを検出した装置１０５は、該ブリッジ１０１に対して登録又は接続リクエストを発生し、送信することができる。
【０１７４】
ブリッジ１０１に対し接続リクエストを発生して送信する処理は、図５ではステップ５２１により示されている。
【０１７５】
上記リクエストを受信したブリッジ１０１は、当該装置の識別子を用いて構成リクエストを発生し、外部サーバ１６１に送信する。
【０１７６】
ブリッジから構成リクエストを発生して外部サーバへ送信する該処理は、図５ではステップ５２３により示されている。
【０１７７】
上記構成リクエストを受信した外部サーバは、次いで、該リクエスト内で識別される装置に関連付けられた構成データを取り出し又は検出することができる。該外部サーバは、次いで、前記登録部分５５１の間に記憶されたデータ等の、当該検出された構成データを含むような、上記リクエストに対する応答を発生して送信する。
【０１７８】
上記リクエストで識別された装置に関連する構成データを取り出すと共に、該構成データを含む応答を発生及び送信する処理は、図５ではステップ５２５により示されている。
【０１７９】
上記構成データを受信したブリッジ１０１は、次いで、前述したものと同様の態様で該構成データを処理することができる。例えば、該ブリッジは、前記構成済パッケージの装置間の論理リンクを発生又は設定することができる。このように、当該ブリッジが全ての“新しい”装置を発見した後、該ブリッジは斯かる全ての“新しい”装置に構成情報を問い合わせ、それに従って制御ルールを作成する。
【０１８０】
上記構成データを処理する動作は、図５にステップ５２７により示されている。
【０１８１】
このようにして、装置の構成済パッケージはネットワーク化照明システム内で動作するように容易に且つエラーなしで変換することができる。
【０１８２】
更に、上記例は光を放出する照明装置を有する照明システム及び放出される光を制御する照明制御コマンドに関して説明されたが、上記教示は、代わりに又は加えて、１以上の窓装飾具（例えば、電子制御ブラインド）、他の日光採集装置（例えば、ヘリオスタット）及び／又は１以上のＨＶＡＣ装置（暖房、換気及び／又は空調）等の１以上の他のタイプの環境制御装置を有する他のタイプの環境制御システムに関しても適用することができることに注意されたい。従って、本明細書の何れかの箇所においてフィーチャが照明システム、照明装置及び照明の制御に関して説明されていたとしても、斯様なフィーチャは、照明及び／又は他の環境機能を各々制御するための１以上の照明装置及び／又は環境制御装置（例えば、ＨＶＡＣ装置）を有する照明システム及び／又は他の環境制御システムを含む如何なるシステムにも等しく適用することができる。
【０１８３】
上述した実施態様は例示のみとして説明されたものであることが理解される。開示された実施態様に対する他の変形例は、当業者によれば請求項に記載された本発明を実施するに際して図面、本開示及び添付請求項の精査から理解し、実施することができるものである。請求項において、“有する”なる文言は他の要素又はステップを排除するものではなく、単数形は複数を排除するものではない。単一のプロセッサ又は他のユニットは、請求項に記載された幾つかの項目の機能を満たすことができる。特定の手段が互いに異なる従属請求項に記載されているという単なる事実は、これら手段の組合せを有利に使用することができないということを示すものではない。コンピュータプログラムは、光記憶媒体又は他のハードウェアと一緒に若しくは該ハードウェアの一部として供給される固体媒体等の適切な媒体により記憶及び／又は分配することができるのみならず、インターネット又は他の有線若しくは無線通信システム等の他の形態で分配することもできる。請求項における如何なる符号も、当該範囲を限定するものと見なしてはならない。
【図１】
0006659721.tif 000002
【図２Ａ】
0006659721.tif 000003
【図２Ｂ】
0006659721.tif 000004
【図２Ｃ】
0006659721.tif 000005
【図２Ｄ】
0006659721.tif 000006
【図３】
0006659721.tif 000007
【図４】
0006659721.tif 000008
【図５】
0006659721.tif 000009